(57)【要約】      （修正有）【課題】不正防止のサポートをするパチンコ台遊技機の出玉計数装置を提供する。【解決手段】パチンコ玉が通過する複数の各レーン２０，２２と、通過するパチンコ玉を検知するセンサ１０，１２と、センサ１０，１２の検知信号を受信して各レーン２０，２２を通過したパチンコ玉数を計数する計数手段３０と、あらかじめ定められた乖離値とを記憶する記憶手段５０と、各レーンを一定の時間内に通過したパチンコ玉数を各レーン毎に演算し、演算された各レーン２０，２２ごとのパチンコ玉数の差分を演算する演算手段４０と、演算された各レーン２０，２２を一定の時間内に通過したパチンコ玉数の差分があらかじめ定められた乖離値を超えて乖離している場合に、警告信号を発する警告信号発生手段６０と、を備えたパチンコ台遊技機Ｐの出玉計数装置１。【選択図】図１
2013009999.tif 000002
【特許請求の範囲】
【請求項１】
パチンコ玉が通過する複数の各レーンと、
前記各レーンに設置され、通過するパチンコ玉を検知するセンサと、
前記センサの検知信号を受信して前記各レーンを通過したパチンコ玉数を計数する計数手段と、
あらかじめ定められた乖離値と、を記憶する記憶手段と、
前記各レーンを一定の時間内に通過したパチンコ玉数を各レーン毎に演算し、演算された各レーンごとのパチンコ玉数の差分を演算する演算手段と、
演算された各レーンを一定の時間内に通過したパチンコ玉数の差分があらかじめ定められた乖離値を超えて乖離している場合に、警告信号を発する警告信号発生手段と、
を備えたパチンコ台遊技機の出玉計数装置。
【発明の詳細な説明】
【技術分野】
【０００１】
本発明は、パチンコ玉を管理するパチンコ台遊技機の出玉計数装置に関し、特に、不正防止対策を強化したパチンコ出玉計数機能を備えたパチンコ台遊技機の出玉計数装置に関する。
【背景技術】
【０００２】
従来は、パチンコホールにおいて、遊技客は、ホールまたは島毎に設置された玉貸し機からパチンコ玉の貸し出しを受けていた。また、遊技客が獲得したパチンコ玉は、パチンコゲーム機の位置で玉箱に貯留しておき、そのパチンコゲーム機におけるパチンコ遊技を終了すると貯留された玉箱を、ホール内の景品交換カウンタに設置された玉数計数器まで持参し、従業員が集中して計数することが多かった（例えば、特許文献１参照）。
【０００３】
しかし、これでは獲得したパチンコ玉を比較的長い距離運搬する必要があった。特に多量の獲得パチンコ玉がある場合には遊技客にとって大きな負担となるおそれがあった。このような負担を軽減するために、遊技客が獲得したパチンコ玉を計数する玉計数器をパチンコゲーム機に近接して設置する提案がなされている（例えば、特許文献２参照）。
【０００４】
また、玉貸手段と遊技客の獲得パチンコ玉の計数動作を行う玉計数器とをそれぞれパチンコゲーム機と１対１に対応させた状態で設置すると共に、その玉計数器により一旦計数したパチンコ玉を玉貸手段を通じて放出可能としたパチンコゲーム機管理装置も提案されている（例えば、特許文献３参照）。
【０００５】
このように、玉計数器をパチンコゲーム機と１対１で対応させて設置した場合は、従業員の目の届かないところで計数されるために不正に計数されるおそれが高い。パチンコ玉に類似の玉を数珠状に繋いだ不正具を使用し、玉計数を増やす不正行為を防止するために、逆方向には回転不可に構成された、不正具の使用を防止する不正防止用爪を設ける提案もなされている（例えば、特許文献４参照）。
【先行技術文献】
【特許文献】
【０００６】
【特許文献１】特開２００２−３２５９５５号公報
【特許文献２】特開平２−２６１４８４号公報
【特許文献３】特開平６−２６１９８０号公報
【特許文献４】特開平１０−２４９０４７号公報
【発明の概要】
【発明が解決しようとする課題】
【０００７】
しかし、不正電波・磁界等又はパチンコ玉に類似の玉を数珠状に繋いだ不正具による不正が行われた場合には、有効に防止することができない。
【０００８】
本発明は、パチンコ台遊技機と１対１に対応させた状態で設置された出玉計数装置において、不正行為が行われた可能性の高い場合に警告信号を発信して不正防止の援助をするパチンコ台遊技機の出玉計数装置を提供することを目的とする。
【課題を解決するための手段】
【０００９】
本発明者らは、パチンコゲーム機と１対１に対応させた状態で設置されたパチンコ台遊技機の出玉計数装置における具体的なケースを想定して警告信号を発することが有効な点に着目して、本発明を完成するに至った。
【００１０】
（１）パチンコ玉が通過する１つ以上のレーンと、前記レーンに設置され、通過するパチンコ玉を検知するセンサと、前記センサの検知信号を受信して前記レーンを通過したパチンコ玉数を計数する計数手段と、計数したパチンコ玉数と、あらかじめ定められた閾値と、を記憶する記憶手段と、一定時間あたりに通過したパチンコ玉数を演算し、前記記憶手段より読み出したあらかじめ定められた閾値と比較する演算手段と、演算されたパチンコ玉数があらかじめ定められた閾値を超えている場合に警告信号を発する警告信号発生手段と、を備えたパチンコ台遊技機の出玉計数装置。
【００１１】
（１）の記載によるパチンコ台遊技機の出玉計数装置の発明は、パチンコ玉が通過する１つ以上のレーンがある。そのレーンには、通過するパチンコ玉を検知するセンサが設置されている。そのセンサの検知信号を受信してレーンを通過したパチンコ玉数を計数手段により計数する。計数したパチンコ玉数を記憶手段に記憶する。また、記憶手段にはあらかじめ定められた閾値が記憶されている。そして、演算手段は一定時間あたりに通過したパチンコ玉数を演算し、記憶手段より読み出したあらかじめ定められた閾値と比較する。演算されたパチンコ玉数があらかじめ定められた閾値を超えている場合に警告信号発生手段により警告信号を発する。
【００１２】
パチンコ台遊技機の出玉計数装置では、パチンコ台遊技機の台間などの狭い空間に密接して設置できるように設計されている。したがって、レーンの数は制限されて多くても数レーンである。このレーンをパチンコ玉が通過する速度は一定の値に制限される。
【００１３】
したがって、パチンコ台遊技機の出玉計数装置に対応したあらかじめ定められた閾値を超えて計数された場合は、警告信号発生手段により警告信号を発する。警告信号は、ホール内に設置された、例えば、ＬＡＮなどの通信回線により通信され施設管理システムのサーバに送信される。警告信号を受けた施設管理システムのサーバは表示装置に、警告信号を発生したパチンコ台遊技機の出玉計数装置の位置と警告を表示する。表示を見た従業員は、その装置で不正行為が行われている場合は、監視カメラなどにより証拠資料を作成すると共に、不正行為を止めさせることができる。
【００１４】
あらかじめ定めた閾値とは、パチンコ台遊技機の出玉計数装置の最大計数能力に計数誤差を加えて値で通常の状態ではありえない値である。例えば、出玉計数装置の最大計数能力が２００個である場合に１００個を加えた値である３００個である。また、このあらかじめ定めた閾値は日時によって変動させるように設定することがさらに望ましい。
【００１５】
（２）パチンコ玉が通過する複数の各レーンと、前記各レーンに設置され、通過するパチンコ玉を検知するセンサと、前記センサの検知信号を受信して前記各レーンを通過したパチンコ玉数を計数する計数手段と、あらかじめ定められた乖離値と、を記憶する記憶手段と、前記各レーンを一定の時間内に通過したパチンコ玉数を各レーン毎に演算し、演算された各レーンごとのパチンコ玉数の差分を演算する演算手段と、演算された各レーンを一定の時間内に通過したパチンコ玉数の差分があらかじめ定められた乖離値を超えて乖離している場合に、警告信号を発する警告信号発生手段と、を備えたパチンコ台遊技機の出玉計数装置。
【００１６】
（２）の記載によるパチンコ台遊技機の出玉計数装置の発明は、パチンコ玉が通過する複数のレーンがある。その各レーンには、通過するパチンコ玉を検知するセンサが設置されている。その各センサの検知信号を受信して各レーンを通過したパチンコ玉数を計数手段により計数する。計数したパチンコ玉数を記憶手段に  記憶する。また、記憶手段にはあらかじめ定められた乖離値が記憶されている。そして、演算手段は各レーンを一定の時間内に通過したパチンコ玉数を各レーン毎に演算し、演算された各レーンごとのパチンコ玉数の差分と、を演算する。演算された各レーンを一定の時間内に通過したパチンコ玉数の差分があらかじめ定められた乖離値を超えて乖離している場合に、警告信号発生手段により警告信号を発する。
【００１７】
複数のレーンでパチンコ玉が通過する計数値があらかじめ定められた乖離値を超えて異なる場合は、片方のレーンが詰まっているなどの故障も考えられる。または、パチンコ玉に類似の玉を数珠状に繋いだ不正具を使用し、玉計数を増やす不正行為を行っていることも考えられる。
【００１８】
このように、各レーンを一定の時間内に通過したパチンコ玉数の差分があらかじめ定められた乖離値を超えて乖離している場合に、警告信号発生手段により警告信号を発する。警告信号は、ホール内に設置された、例えば、ＬＡＮなどの通信回線により通信され施設管理システムのサーバに送信される。警告信号を受けた施設管理システムのサーバは表示装置に、警告信号を発生したパチンコ台遊技機の出玉計数装置の位置と警告を表示する。表示を見た従業員は、その装置で不正行為が行われている場合は、監視カメラなどにより証拠資料を作成すると共に、不正行為を止めさせることができる。また、故障の場合は、具体的に故障原因を追究して修理することができる。
【００１９】
（３）パチンコ玉が通過する１つ以上のレーンと、前記レーンに設置され、通過するパチンコ玉を検知する複数のセンサと、前記複数のセンサの検知信号を受信して前記レーンを通過したパチンコ玉の通過方向を検出する通過方向検出手段と、あらかじめ正常なパチンコ玉の通過方向を記憶する記憶手段と、検出したパチンコ玉の通過方向が記憶手段に記憶されている通過方向と異なる場合に、警告信号を発する警告信号発生手段と、を備えたパチンコ台遊技機の出玉計数装置。
【００２０】
（３）の記載によるパチンコ台遊技機の出玉計数装置の発明は、パチンコ玉が通過する１つ以上のレーンがある。そのレーンには、通過するパチンコ玉を検知する複数のセンサが設置されている。その複数のセンサの検知信号を受信してレーンを通過するパチンコ玉と通過方法を通過方法検出手段により検出する。また、記憶手段にはあらかじめ正常にパチンコ玉が通過した場合のセンサの検出データが記憶されている。そして、検出したパチンコ玉の通過方向が記憶手段に記憶されているセンサの検出データによる通過方向と異なる場合に、警告信号発生手段により警告信号を発する。
【００２１】
このように、検出したパチンコ玉の通過方向が記憶手段に記憶されている通過方向と異なる場合に、警告信号発生手段により警告信号を発する。警告信号は、上記の発明と同様に、ホール内に設置された、例えば、ＬＡＮなどの通信回線により通信され施設管理システムのサーバに送信される。警告信号を受けた施設管理システムのサーバは表示装置に、警告信号を発生したパチンコ台遊技機の出玉計数装置の位置と警告を表示する。表示を見た従業員は、その装置で不正行為が行われている場合は、監視カメラなどにより証拠資料を作成すると共に、不正行為をやめさせることができる。また、故障の場合は、具体的に故障原因を追究して修理することができる。
【００２２】
通過方法検出手段は、１つのレーンに設置された複数のセンサの検出順序の前後を比較することにより検出することが望ましい。センサは光学的に検出するセンサが望ましいが、他の電磁気による方法をとることもできる。
【００２３】
（４）パチンコ玉が通過する１つ以上のレーンと、前記レーンに設置され、通過するパチンコ玉を検知するセンサと、前記センサの検知信号を受信して前記レーンを通過したパチンコ玉数を計数する計数手段と、計数したパチンコ玉数と、あらかじめ定められた閾値時間と、あらかじめ定められた第２の閾値と、を記憶する記憶手段と、遊技機の特賞状態の発生時における発生時刻と特賞状態継続時間とを遊技機又は施設管理システムのサーバより取得する特賞情報取得手段と、前記特賞情報取得手段により取得した発生時刻から特賞状態継続時間と、記憶手段に記憶されているあらかじめ定められた閾値時間を加えた時刻を経過しても、前記レーンを、あらかじめ定められた第２の閾値を超えるパチンコ玉数が通過する場合に、警告信号を発する警告信号発生手段と、を備えたパチンコ玉計数装置。
【００２４】
（４）の記載によるパチンコ台遊技機の出玉計数装置の発明は、パチンコ台遊技機で特賞が出た場合に不正行為が防止できることを目的としたものである。特賞が出た場合には、大量のパチンコ玉を計数する必要があるが、特賞期間はパチンコ台毎に決まっている。特賞状態継続時間（特賞期間）にあらかじめ定められた時間を加えた閾値時間を経過しても、レーンを、あらかじめ定められた第２の閾値を超えるパチンコ玉数が通過する場合には、例えば電波などによる不正が行われた為と推定される。そこで、警告信号発生手段６０により警告信号を発する。
【００２５】
このようにして、特賞期間経過後に不正電波・磁界等による不正が行われた場合にも、有効に防止することができる。なお、あらかじめ定められた第２の閾値は、不正を行う者に知られるとそれを下回る値で不正を行われることがあるので、適切な日時に変動させることが望ましい。
【発明の効果】
【００２６】
本発明によれば、パチンコ台遊技機の出玉計数装置において、不正行為のおそれがある場合、出玉計数装置が誤動作した場合に、警告信号を発することができ、適切に不正行為を防ぐことをサポートすることができる。また、出玉計数装置が誤動作した場合にも警告信号により、早急に対処することができる。
【図面の簡単な説明】
【００２７】
【図１】本発明に係るパチンコ台遊技機の出玉計数装置の概略ブロック図である。
【図２】パチンコ台遊技機の出玉計数装置の基板のブロック図である。
【図３】本発明に係るパチンコ台遊技機の出玉計数装置をホールにて接続した場合のシステム図である。
【図４】本発明のパチンコ台遊技機の出玉計数装置の警告信号発生の動作を示すブロック図である。
【図５】本発明のパチンコ台遊技機の出玉計数装置の警告信号発生の別の動作を示すブロック図である。
【図６】本発明の別の実施例であるパチンコ台遊技機の出玉計数装置５００の概略ブロック図である。
【図７】センサの配置と通過方向検出手段によるレーンを通過するパチンコ玉の通過方向を検出する原理を説明する図である。
【図８】本発明のパチンコ台遊技機の出玉計数装置５００の警告信号発生の動作を示すブロック図である。
【図９】本発明の別の実施例であるパチンコ台遊技機の出玉計数装置１０００の概略ブロック図である。
【図１０】本発明のパチンコ台遊技機の出玉計数装置１０００の警告信号発生の動作を示すブロック図である。
【図１１】特賞情報取得手段について特賞情報の取得手段を説明する図である。
【発明を実施するための形態】
【００２８】
以下、本発明を実施するための最良の形態について図を参照しながら説明する。なお、これはあくまでも一例であって、本発明の技術的範囲はこれに限られるものではない。
＜第１の実施例＞
【００２９】
図１は本発明に係るパチンコ台遊技機の出玉計数装置の概略ブロック図であり、図２は、パチンコ台遊技機の出玉計数装置の基板のブロック図である。図３は、本発明に係るパチンコ台遊技機の出玉計数装置をホールにて接続した場合のシステム図である。図４は、本発明のパチンコ台遊技機の出玉計数装置の警告信号発生の動作を示すブロック図である。
【００３０】
本発明に係るパチンコ台遊技機の出玉計数装置１は、図１に示すように、パチンコ台遊技機Ｐの側方（通常は、隣接するパチンコ台遊技機の間）には台側玉貸機Ｓ（一般的に「台間サンド」等と呼ばれている）が設置されている。台側玉貸機Ｓの前面には、硬貨投入口、ＩＣカード挿入口、パチンコ玉をパチンコ台遊技機の上皿Ｐ２に供給する玉供給ノズルＳ１、各種表示ランプ、各種表示器、各種操作ボタン等が設けられている。上皿Ｐ２は、パチンコ台遊技機Ｐに供給するパチンコ玉を一時的に貯留する皿である。
【００３１】
図１に示すように、台側玉貸機Ｓの下方には、パチンコ玉を回収する玉回収部Ｒが、台側玉貸機Ｓと一体的に設置されている。玉回収部Ｒの前面には、出玉計数装置１における回収部連結部４が連結される連結開口部２が設けられている。第１実施例の出玉計数装置は、図１に示すように、パチンコ台遊技機Ｐの下皿Ｐ１とカウンターＱの上面との間に配設される玉受け部２と、パチンコ台遊技機Ｐの側方に設置された玉回収部Ｒに連結される回収部連結部４と、下皿Ｐ１から落下して玉受け部２に受け取られたパチンコ玉を回収部連結部４に案内する玉案内部３と、玉回収部Ｒに回収されるパチンコ玉を計数する玉計数ユニット（図示せず）とを備えている。
【００３２】
下皿Ｐ１は、パチンコ台遊技機Ｐから排出された当たり玉（出玉）を一時的に貯留する皿である。下皿Ｐ１は、その底面にシャッター（図示せず）を備えており、該シャッターを開放することにより、下皿Ｐ１に貯留されているパチンコ玉を、下皿Ｐ１の下方に配設された玉受け部２に落下させることができるようになっている。
【００３３】
玉受け部２から玉案内部３の内部には、図１に示すようにパチンコ玉が通過する２つのレーン２０とレーン２２が設けられており、各レーンには、通過するパチンコ玉を検知するセンサ１０とセンサ１２とが設置されている。出玉計数装置１には、図２に示すような電子回路で構成された基板１００と内蔵されたソフトウエアにより、センサの検知信号を受信してレーン２０等を通過したパチンコ玉数を計数する計数手段３０と、計数したパチンコ玉数と、あらかじめ定められた閾値と、を記憶する記憶手段５０と、一定時間あたりに通過したパチンコ玉数を演算し、記憶手段５０より読み出したあらかじめ定められた閾値と比較する演算手段４０と、演算されたパチンコ玉数があらかじめ定められた閾値を超えている場合に警告信号を発する警告信号発生手段６０と、が有る。
【００３４】
基板１００には、図２に示すように、マイクロプロセッサ（ＣＰＵ）１１０と、センサ１０とセンサ１２に接続される出玉計数用端子１２０と、記憶手段５０を構成するＥＥＰＲＯＭ１３０と、パチンコ台遊技機の番号を合わせるロータリースイッチ１４０と、接点入力と分岐出力端子１５０と、タッチパネルデスプレイ端子１６０と、出玉感表示ユニット１７２に接続される端子１７０と、持ち玉表示基板１８２に接続される端子１８０と、ホール内の通信回線に接続される端子１９０とが有り、図２に示すように接続されている。
【００３５】
パチンコ台遊技機Ｐと出玉計数装置１とは、図３の１例に示すように、隣接する同士で番号をロータリースイッチ１４０でセットして、施設管理システムのサーバ２００に接続される。施設管理システムのサーバ２００は、メインサーバ２１０と、管理端末２２０と管理端末２２２と、ＬＡＮサーバ２３０と、ＬＡＮサーバ２３２等が接続されている。また、出玉計数装置１は有限責任中間法人電子認証システム協議会の認証協会用のサーバ３００に接続されている。認証協会用のサーバにはメインサーバ３１０と、高額サーバ３２０と、会員カード受付機３３０と、預金返却機３４０と、島中継器３５０に接続されている。
【００３６】
このような構成の出玉計数装置１の不正防止対策を強化したパチンコ出玉計数機能について、図４を参照して説明をする。このサブルーチンソフトが開始する、当該時点のパチンコ玉計数値Ｂを記憶手段５０に記憶する（Ｓ１１０）。そして、単位時間待つ（Ｓ１２０）。単位時間は、出玉計数装置１の設計にもよるが、例えば１０秒とすることができる。図１で説明したように、パチンコ玉が通過する２つのレーン２０と２２に、通過するパチンコ玉を検知するセンサ１０と１２が設けられている。
【００３７】
センサ１０と１２の検知信号を受信してレーン２０と２２を通過したパチンコ玉数を計数手段３０により計数する（Ｓ１３０）。計数したパチンコ玉数値Ａを記憶手段５０に記憶する（Ｓ１４０）。さらに、あらかじめ定められ記憶手段５０に記憶されている閾値Ｃと、前回パチンコ玉計数値Ｂと、を読み出す（Ｓ１４０）。
【００３８】
次に、演算手段４０により、パチンコ玉数値Ａより前回パチンコ玉計数値Ｂを引き算して、一定時間あたりに通過したパチンコ玉数を演算する（Ｓ１５０）。そして、記憶手段５０より読み出したあらかじめ定められた閾値Ｃと比較する（Ｓ１５０）。演算されたパチンコ玉数があらかじめ定められた閾値Ｃを超えている場合に警告信号発生手段６０により警告信号を発する（Ｓ１６０）。
【００３９】
演算されたパチンコ玉数があらかじめ定められた閾値Ｃを超えていない場合（ＮＯ）は、今回計数したパチンコ玉数値Ａをパチンコ玉計数値Ｂとして記憶手段５０に記憶する（Ｓ１７０）。このようにするのは、パチンコ台遊技機Ｐの出玉計数装置１では、不正な改造その他の変更を防止するために、「風俗営業等の規則及び業務の適正化等に関する法律」の規定に基づき「遊技機の認定及び型式の検定等に関する規則」により、データの記憶容量が３ＫＢに制限されているからである。
【００４０】
そして、停止信号のありかなしかをチェックする（Ｓ１８０）。ありの場合は終了し、なしの場合は図４に示すように単位時間待ち（Ｓ１２０）にもどる。
【００４１】
本実施例１の２レーンの出玉計数装置１の場合は、最大でも１０秒あたり２００個程度の計数が限度である。ここで、あらかじめ定められた閾値を３００とする。１０秒あたり３００を超えたパチンコ玉数が計数されることはありえない。そこで、このような値が計数される場合は、例えば、電波などによる不正が行われたためと推定される。そこで、警告信号発生手段６０により警告信号を発する。
【００４２】
警告信号は、通信回線を経由して施設管理システムのサーバ２１０に伝えられ、管理端末２２０等に何処のパチンコ台遊技機の出玉計数装置で不正が行われているおそれがあると表示することができる。表示を見たホールの従業員は、テレビカメラで証拠の映像を撮影すると共に、警告信号の発信された出玉計数装置に行  き、確認すると共に対応する措置をとることができる。
【００４３】
このようにして、不正電波・磁界等による不正が行われた場合にも、有効に防止することができる。なお、あらかじめ定められた閾値は、不正を行う者に知られるとそれを下回る値で、不正を行われることがあるので、適切な時間で変動させることが望ましい。
＜第２の実施例＞
【００４４】
第２の実施例は、複数のレーンをもつパチンコ台遊技機Ｐの出玉計数装置１において、各レーンを一定の時間内に通過したパチンコ玉数の差分があらかじめ定められた乖離値以上に乖離した場合に、警告信号発生手段６０により警告信号を発するものである。あらかじめ定められた乖離値以上に乖離した場合は、一方のレーンで玉が詰まっている場合もあるし、または、数珠状の不正具で不正が行われる場合もある。
【００４５】
第２の実施例は、ハードウエアの構成は、第１の実施例と同一であり、内蔵するソフトウエアの該当する部分のみが異なる。以下、図５を参照して説明をする。図１で説明したように、パチンコ玉が通過する２つのレーン２０と２２に、通過するパチンコ玉を検知するセンサ１０と１２が設けられている。
【００４６】
センサ１０と１２の検知信号を受信してレーン２０と２２を通過したパチンコ玉数を個別に計数手段３０により計数する（Ｓ２１０）。そして、あらかじめ定められ記憶手段５０に記憶されている乖離値Ｄを読み出す（Ｓ２２０）。
【００４７】
次に、演算手段４０により、各レーンを一定の時間内に通過したパチンコ玉数を各レーン毎に演算する（Ｓ２３０）。演算は、第１の実施例と同様な方法で演算することができる。そして、演算手段４０により、演算された各レーンごとのパチンコ玉数の差分Ｈを演算する（Ｓ２４０）。
【００４８】
そして、記憶手段５０より読み出したあらかじめ定められた乖離値Ｄと比較する（Ｓ２５０）。各レーンごとのパチンコ玉数の差分Ｈがあらかじめ定められた乖離値Ｄを超えて乖離している場合に警告信号発生手段６０により警告信号を発する（Ｓ２６０）。
【００４９】
各レーンごとのパチンコ玉数の差分Ｈがあらかじめ定められた乖離値Ｄを超えていない場合（ＮＯ）は、単位時間待つ（Ｓ２７０）。単位時間は、出玉計数装置の設計にもよるが、例えば１０秒とすることができる。単位時間待った後、停止信号のありかをチェックする（Ｓ２８０）。ありの場合は終了し、なしの場合は図５に示すように各レーンの通過パチンコ玉数計数（Ｓ２１０）にもどる。
【００５０】
複数のレーンでパチンコ玉が通過する計数値があらかじめ定められた乖離値を超えて異なる場合は、片方のレーンが詰まっているなどの故障も考えられる。または、パチンコ玉に類似の玉を数珠状に繋いだ不正具を使用し、玉計数を増やす不正行為を行っていることも考えられる。
【００５１】
このように、各レーンを一定の時間内に通過したパチンコ玉数の差分があらかじめ定められた乖離値を超えて乖離している場合に、警告信号発生手段６０により警告信号を発する。警告信号は、施設管理システムのサーバ２１０に伝えられ、管理端末２２０等に何処のパチンコ台遊技機の出玉計数装置で不正が行われているおそれがあると表示することができる。表示をみたホールに従業員は、テレビカメラで証拠の映像を撮影すると共に、警告信号の発信された出玉計数装置に行き、確認すると共に対応する措置をとることができる。
【００５２】
表示を見た従業員は、その装置で不正行為が行われている場合は、監視カメラなどにより証拠資料を作成すると共に、不正行為をやめさせることができる。また、故障の場合は、具体的に故障原因を追究して修理することができる。
＜第３の実施例＞
【００５３】
第３の実施例は通過するパチンコ玉を検知する複数のセンサをレーンに設置し、複数のセンサの検知信号を受信してレーンを通過するパチンコ玉の通過方向を通過方向検出手段により検出する。あらかじめ正常なパチンコ玉の通過方向を記憶手段に記憶する。検出したパチンコ玉の通過方向が記憶手段に記憶されている通過方向と異なる場合に、警告信号発生手段により警告信号を発するものである。
【００５４】
図６は、本発明の別の実施例であるパチンコ台遊技機の出玉計数装置５００の概略ブロック図であり、図７は、センサの配置と通過方向検出手段によるレーンを通過するパチンコ玉の通過方向を検出する原理を説明する図である。図８は、本発明のパチンコ台遊技機の出玉計数装置５００の警告信号発生の動作を示すブロック図である。
【００５５】
本発明の別の実施例であるパチンコ台遊技機の出玉計数装置５００は、図６に示すように、図１で説明した、パチンコ台遊技機の出玉計数装置１にセンサ１１とセンサ１３をさらに設置したことと、通過方向検出手段７０をさらに設けたことが異なる。
【００５６】
以下、図６から図８を参照して説明をする。センサ１０とセンサ１１の検知信号を受信してレーン２０を通過したパチンコ玉の通過方向を検出する通過方向検出手段７０により検出する（Ｓ３１０）。また、センサ１２とセンサ１３の検知信号を受信してレーン２０を通過したパチンコ玉の通過方向を検出する通過方向検出手段７０により検出する（Ｓ３１０）。そして、あらかじめ定められ記憶手段５０に記憶されている正常通過方向を読み出す（Ｓ３２０）。
【００５７】
通過方法検出手段７０の１例としては、図７に示すように、センサ１０とセンサ１１とをパチンコ玉の直径よりの狭い間隔でレーン２０に設置する。図７に示すように、パチンコ玉が移動した場合にセンサ１０とセンサ１１がどちらが先にＯＮになりどちらが先にＯＦＦになるかで、正常方向に通過しているか否かを  検出することができる。そして、センサ１０とセンサ１１のＯＮまたはＯＦＦする順序を記憶手段５０にパチンコ玉の正常通過方向としてあらかじめ記憶する。
【００５８】
そして、記憶手段５０より読み出したパチンコ玉の正常通過方向と比較する（Ｓ３３０）。各レーンのパチンコ玉の通過方向が正常でない場合（ＮＯ）に警告信号発生手段６０により警告信号を発する（Ｓ３４０）。
【００５９】
各レーンのパチンコ玉の通過方向が正常な場合（ＹＥＳ）は、単位時間待つ（Ｓ３５０）。単位時間は、出玉計数装置の設計にもよるが、例えば１０秒とすることができる。単位時間待った後、停止信号のありかチックする（Ｓ３６０）。ありの場合は終了し、なしの場合は図８に示すように各レーンのパチンコ玉通過方向検出（Ｓ３１０）にもどる。
【００６０】
このように、検出したパチンコ玉の通過方向が記憶手段５０に記憶されている通過方向と異なる場合に、警告信号発生手段６０により警告信号を発する。警告信号は、施設管理システムのサーバ２１０に伝えられ、管理端末２２０等に何処のパチンコ台遊技機の出玉計数装置で不正が行われているおそれがあると表示することができる。表示をみたホールの従業員は、テレビカメラで証拠の映像を撮影すると共に、警告信号の発信された出玉計数装置に行き、確認すると共に対応する措置をとることができる。
【００６１】
表示を見た従業員は、その装置で不正行為が行われている場合は、監視カメラなどにより証拠資料を作成すると共に、不正行為を止めさせることができる。また、故障の場合は、具体的に故障原因を追究して修理することができる。
＜第４の実施例＞
【００６２】
第４の実施例は、パチンコ台遊技機で特賞が出た場合に不正行為が防止できることを目的としたものである。特賞が出た場合には、大量のパチンコ玉を計数する必要があるが、特賞期間はパチンコ台遊技機ごとに決まっている。この期間を過ぎても、一定時間内に一定上のパチンコ玉を計数している場合は、警告信号発生手段により警告信号を発するものである。
【００６３】
図９は、本発明の別の実施例であるパチンコ台遊技機の出玉計数装置１０００の概略ブロック図であり、図１０は、本発明のパチンコ台遊技機の出玉計数装置１０００の警告信号発生の動作を示すブロック図である。図１１は、特賞情報取得手段について特賞信号の取得方法を説明する図である。
【００６４】
本発明の別の実施例であるパチンコ台遊技機の出玉計数装置１０００は、図９に示すように、図１で説明した、パチンコ台遊技機の出玉計数装置１に、遊技機の特賞状態の発生時における発生時刻と特賞状態継続時間とを遊技機又は施設管理システムのサーバより取得する特賞情報取得手段８０をさらに設けた点が異なる。
【００６５】
以下、図９から図１１を参照して説明をする。遊技機Ｐの特賞状態の発生時における発生時刻と特賞状態継続時間（特賞期間）と特賞最大出玉数とを遊技機Ｐ又は施設管理システムのサーバ２１０より特賞情報取得手段８０が取得する（Ｓ４１０）。そして、あらかじめ定められた閾値時間を記憶手段５０より読み出す（Ｓ４２０）。
【００６６】
特賞情報取得手段８０は、ホールの設備状況により、遊技機Ｐまたは施設管理システムのサーバ２１０より取得することができる。遊技機Ｐより取得する形態を図１１に示す。図１１に示すように、遊技機Ｐに接続された自社・他社データ収集基板より取得する場合（ａ）、遊技機Ｐに接続された自社・他社データ表示機２５４より取得する場合（ｂ）、遊技機Ｐからシステムに接続された通信回線を分岐して取得する場合（ｃ）のケースのいずれかを採用することができる。
また、特賞情報取得手段８０は、図３に示すようなシステムで施設管理システムのサーバ２１０より取得することもできる。
【００６７】
図１０の説明にもどると、単位時間待ちを行い（Ｓ４３０）、停止信号のありかなしかをチェックする（Ｓ４４０）。ありの場合は終了し、なしの場合は、特賞期間に記  憶手段５０より読み出した閾値時間を加えた時刻が経過したか判定を行い（Ｓ４５０）、特賞期間に閾値時間を加えた時刻が経過していない場合（ＮＯ）は、図１０のように単位時間待ち（Ｓ４３０）にもどる。
【００６８】
特賞期間に閾値時間を加えた時刻が経過した場合（ＹＥＳ）、パチンコ玉計数値Ｂ（特賞終了時の計数値Ｂ）を記憶手段５０に記憶する（Ｓ４６０）。センサ１０と１２の検知信号を受信してレーン２０と２２を通過したパチンコ玉数を計数手段３０により計数する（Ｓ４６５）。計数したパチンコ玉数値Ａを記憶手段５０に記憶する（Ｓ４６８）。さらに、あらかじめ定められ記憶手段５０に記憶されている第２の閾値Ｃ２と、前回パチンコ玉計数値Ｂと、を読み出す（Ｓ４６８）。
【００６９】
次に、演算手段４０により、パチンコ玉数値Ａより前回パチンコ玉計数値Ｂを引き算して、一定時間あたりに通過したパチンコ玉数を演算する（Ｓ４７０）。そして、記憶手段５０より読み出したあらかじめ定められた第２の閾値Ｃ２と比較する（Ｓ４７０）。演算されたパチンコ玉数があらかじめ定められた第２の閾値Ｃ２を超えている場合に警告信号発生手段６０により警告信号を発する（Ｓ４７５）。
【００７０】
演算されたパチンコ玉数があらかじめ定められた第２の閾値Ｃ２を超えていない場合（ＮＯ）は、単位時間待つ（Ｓ４７８）。単位時間は、出玉計数装置の設計にもよるが、例えば１０秒とすることができる。単位時間待った後、停止信号のありかなしかをチェックする（Ｓ４８０）。ありの場合は終了し、なしの場合は特賞信号のありかなしかをチェックする（Ｓ４９０）。なしの場合は終了し、ありの場合は図１０に示すように特賞情報取得（Ｓ４１０）にもどる。
【００７１】
特賞状態継続時間（特賞期間）については、上記の「風俗営業等の規則及び業務の適正化等に関する法律」の規定に基づき「遊技機の認定及び型式の検定等に関する規則」に最大の時間は定められている。しかし、パチンコ台遊技機の各社によって特長を生かした設計がなされている。したがって、パチンコ台遊技機毎に異なるので、個別の情報を収集する必要がある。
【００７２】
特賞状態継続時間（特賞期間）にあらかじめ定められた閾値時間を加えた時刻を経過しても、レーンを、あらかじめ定められた第２の閾値を超えるパチンコ玉数が通過する場合には、例えば電波などによる不正が行われたためと推定される。そこで、警告信号発生手段６０により警告信号を発する。
【００７３】
警告信号は、通信回線を経由して施設管理システムのサーバ２１０に伝えられ、管理端末２２０等に何処のパチンコ台遊技機の出玉計数装置で不正が行われているおそれがあると表示することができる。表示を見たホールの従業員は、テレビカメラで証拠の映像を撮影すると共に、警告信号の発信された出玉計数装置に行き、確認すると共に対応する措置をとることができる。
【００７４】
このようにして、特賞期間経過後に不正電波・磁界等による不正が行われた場合にも、有効に防止することができる。なお、あらかじめ定められた第２の閾値は、不正を行う者に知られるとそれを下回る値で、不正を行われることがあるので、適切な日時に変動させることが望ましい。
【００７５】
以上、本発明の実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。例えば、パチンコ玉が通過するレーンは２つの場合について説明したが、数レーンであっても良い。
【符号の説明】
【００７６】
１  出玉計数装置
１０  センサ
１２  センサ
２０  レーン
２２  レーン
３０  計数手段
４０  演算手段
５０  記憶手段
６０  警告信号発生手段
７０  通過方向検出手段
８０  特賞情報取得手段
【図１１】
2013009999.tif 000003
【図１】
2013009999.tif 000004
【図２】
2013009999.tif 000005
【図３】
2013009999.tif 000006
【図４】
2013009999.tif 000007
【図５】
2013009999.tif 000008
【図６】
2013009999.tif 000009
【図７】
2013009999.tif 000010
【図８】
2013009999.tif 000011
【図９】
2013009999.tif 000012
【図１０】
2013009999.tif 000013